(57)【特許請求の範囲】
【請求項１】
金型装置のダイとパンチの間に繊維強化樹脂シートを配置してプレス成形を行うとともに、前記繊維強化樹脂シートの裏面に前記パンチ側から熱可塑性樹脂を射出して所定の裏打構造を設ける繊維強化樹脂成形品の製造方法において、前記ダイとパンチは、繊維強化樹脂成形品の輪郭内側部分を成形するための中央部と前記輪郭外側部分になる前記繊維強化樹脂シートの外縁部を固定するための外周部とが各々別部品からなり、前記ダイの中央部は可動側のメインプレートからプレス方向に延設されたバーの先端に設けられ、前記ダイの外周部は前記メインプレートの内側に配設されたサブプレートを介して前記ダイの中央部に対し反プレス方向に摺動可能に支持されており、前記パンチの外周部は固定側のメインプレートから反プレス方向に延設されたバーに設けられ、前記パンチの中央部は前記メインプレートの内側に配設されたサブプレートを介して前記パンチの外周部に対しプレス方向に段階的に摺動可能とされており、前記可動側のメインプレートを動作させることで組み合わされた前記中央部と前記外周部が互いに摺動しながらプレス方向の位置ズレを複数段階で各々形成可能とされており、前記ダイをプレス方向に移動させる一連のプレス動作により、先に前記両外周部で前記繊維強化樹脂シートの外縁部を挟み込んで固定し、前記両外周部で前記外縁部を固定したまま前記両中央部同士が接近して前記輪郭内側部分をプレス成形し、前記輪郭内側部分をプレス成形している前記両中央部と前記外縁部を固定している前記両外周部との間で前記位置ズレを生じさせて前記繊維強化樹脂シートにおける前記輪郭に沿って前記中央部押圧面の外縁と前記外周部押圧面の開口部分内縁とで剪断するものとして、前記一連のプレス動作に連動して前記プレス成形と前記輪郭のトリミングを行う、ことを特徴とする繊維強化樹脂成形品の製造方法。
【請求項２】
前記両中央部には互いに連通可能な位置に各々挿通孔が形成されており、前記パンチ側の前記挿通孔に挿設され基端側を前記サブプレートで支持されたピアス用ピンがプレス動作で前記ダイ側の前記挿通孔に挿入されるものとされ、前記一連のプレス動作の後半で、前記両中央部でプレス成形している前記繊維強化樹脂シートの所定位置を、前記ピアス用ピン先端面の外縁と前記中央部押圧面の前記挿通孔開口部分内縁とで剪断しながらピアシングを行う、ことを特徴とする請求項１に記載した繊維強化樹脂成形品の製造方法。
【請求項３】
ダイとパンチの間に配置した繊維強化樹脂シートをプレスして成形体の形状を与えるプレス成形手段と、成形している前記繊維強化樹脂シートの裏面に前記パンチ側から熱可塑性樹脂を射出して所定の裏打構造を設ける裏打構造形成手段を備えた繊維強化樹脂成形品を製造するための金型装置において、前記ダイとパンチは、繊維強化樹脂成形品の輪郭内側部分を成形するための中央部と前記輪郭外側部分になる前記繊維強化樹脂シートの外縁部を固定するための外周部とが各々別部品からなり、前記ダイの中央部は可動側のメインプレートからプレス方向に延設されたバーの先端に設けられ、前記ダイの外周部は前記メインプレートの内側に配設されたサブプレートを介して前記ダイの中央部に対し反プレス方向に摺動可能に支持されており、前記パンチの外周部は固定側のメインプレートから反プレス方向に延設されたバーに設けられ、前記パンチの中央部は前記メインプレートの内側に配設されたサブプレートを介して前記パンチの外周部に対しプレス方向に段階的に摺動可能とされており、前記可動側のメインプレートを動作させることで組み合わされた前記中央部と前記外周部がプレス方向の位置ズレを複数段階で各々形成可能とされており、前記ダイをプレス方向に移動させる一連のプレス動作により、前記両外周部で前記外縁部を挟み込んで固定している位置と、前記両外周部で前記外縁部を固定したまま前記両中央部同士が接近して前記輪郭内側部分をプレス成形している位置と、前記輪郭内側部分をプレス成形している前記両中央部と前記外縁部を固定している前記両外周部との間の前記位置ズレにより前記繊維強化樹脂シートにおける前記輪郭に沿って前記中央部押圧面の外縁と前記外周部押圧面の開口部分内縁とで剪断した位置とを、各々実現するものとされており、前記一連のプレス動作に連動して前記プレス成形と前記輪郭のトリミングを行う、ことを特徴とする金型装置。
【請求項４】
前記両中央部には互いに連通可能な位置に各々挿通孔が形成されており、前記パンチ側の前記挿通孔に挿設され基端側を前記サブプレートで支持されたピアス用ピンが、プレス動作で前記ダイ側の前記挿通孔に挿入されるものとされ、前記両中央部でプレス成形している状態の前記繊維強化樹脂シートの所定位置を前記ピアス用ピン先端面の外縁と前記ダイ側の前記中央部押圧面の前記挿通孔開口部分内縁とで剪断するものとして、前記一連のプレス動作に連動してピアシングを行うものとされている、ことを特徴とする請求項３に記載した金型装置。
【発明の詳細な説明】
【技術分野】
【０００１】
本発明は、繊維強化樹脂成形品の製造方法及びその金型装置に関し、殊に、強化繊維を有した熱可塑性樹脂シートによる成形体の裏面側に熱可塑性樹脂を射出成形して裏打構造を設けてなる繊維強化樹脂成形品の製造方法、及びその製造方法を自動的に実施するための金型装置に関する。
【背景技術】
【０００２】
従来より、熱可塑性樹脂シートをプレス成形にて賦形するとともに、その裏面側にリブやボス等の裏打構造を熱可塑性樹脂の射出成形にて設けるハイブリッド成形と呼ばれる成形方法が、例えば特開２００４−２７６２５７号公報に記載されているように周知であり、軽く強度に優れた成形品を比較的簡易な工程で得られる製造方法であることから、自動車内装部品等の製造において広く採用されている。
【０００３】
また、特開２０１２−２０６４４６号公報には、熱可塑性樹脂中に炭素繊維を配した繊維強化樹脂シートを用いるとともに、熱可塑性樹脂の軟化温度以上に加熱した金型中に前記シートを挿入してから裏打樹脂を射出し、その後圧力を賦与しながら金型を冷却することにより、裏打樹脂の冷却・固化よるヒケ（収縮歪み）の発生を抑制しながら、更に強度に優れた成形品を得られるものとした成形方法も提案されている。
【０００４】
前述した繊維強化樹脂シートは、薄くても強度に優れた成形品を製造するのに適したものであるが、これを前述のようなハイブリッド成形に用いた場合、その薄さと伸縮性の乏しさ等を原因として、樹脂シートをプレス成形する際にシワやラップ（重なり）が発生しやくなるため、成形精度や完成品の外観を悪化させる要因の一つとされていた。
【０００５】
これに加え、繊維強化樹脂シートを用いたハイブリッド成形の場合は、樹脂シートをプレス成形してから成形品の輪郭位置で樹脂シートを切断するトリミングを行ったり、樹脂シートにおけるボス等の位置でピアシング（孔空け）を行ったりする後工程が必要となり、その工程用の機器を配置するスペースを要することに加え工程間の移動・配置作業に手間と時間を要するため、工程の簡略化と製造コストの低減は困難とされていた。
【先行技術文献】
【特許文献】
【０００６】
【特許文献１】特開２００４−２７６２５７号公報
【特許文献２】特開２０１２−２０６４４６号公報
【発明の概要】
【発明が解決しようとする課題】
【０００７】
本発明は、上記のような問題を解決しようとするものであり、繊維強化樹脂シートの成形体に熱可塑性樹脂による裏打構造を設けるハイブリッド成形方法において、過剰な手間と時間を要することなく高精度の成形品を得られるようにすることを課題とする。
【課題を解決するための手段】
【０００８】
そこで、本発明は、金型装置のダイとパンチの間に繊維強化樹脂シートを配置してプレス成形を行うとともに、その繊維強化樹脂シートの裏面にパンチ側から熱可塑性樹脂を射出して所定の裏打構造を設ける繊維強化樹脂成形品の製造方法において、そのダイとパンチは、繊維強化樹脂成形品の輪郭内側部分を成形するための中央部と前記輪郭外側部分になる繊維強化樹脂シートの外縁部を固定するための外周部とが各々別部品からなり、そのダイの中央部は可動側のメインプレートからプレス方向に延設されたバーの先端に設けられ、そのダイの外周部は前記メインプレートの内側に配設されたサブプレートを介してダイの中央部に対し反プレス方向に摺動可能に支持されており、そのパンチの外周部は固定側のメインプレートから反プレス方向に延設されたバーに設けられ、そのパンチの中央部は前記メインプレートの内側に配設されたサブプレートを介してパンチの外周部に対しプレス方向に段階的に摺動可能とされており、可動側のメインプレートを動作させることで組み合わされた中央部と外周部が互いに摺動しながらプレス方向の位置ズレを複数段階で各々形成可能とされており、ダイをプレス方向に移動させる一連のプレス動作により、先に両外周部で前繊維強化樹脂シートの外縁部を挟み込んで固定し、両外周部で外縁部を固定したまま両中央部同士が接近して輪郭内側部分をプレス成形し、輪郭内側部分をプレス成形している両中央部と外縁部を固定している両外周部との間で位置ズレを生じさせて繊維強化樹脂シートにおける輪郭に沿って中央部押圧面の外縁と外周部押圧面の開口部分内縁とで剪断するものとして、一連のプレス動作に連動してプレス成形と剪断によるトリミングを行う、ことを特徴とする繊維強化樹脂成形品の製造方法とした。
【０００９】
このように、プレス成形を行っている繊維強化樹脂シートの裏面側に射出成形で裏打構造を設ける方式のハイブリッド成形による繊維強化樹脂成形品の製造方法において、そのダイとパンチを構成している金型部品を、成形体の形状を与えるための中央部と繊維強化樹脂シートの外縁部を固定するための外周部とが別体とされてプレス方向に互いに摺動しながら位置ズレを形成可能なものとして、一連のプレス方向の動作に連動しながら両外周部で繊維強化樹脂シートの余白部分になる外縁部を先に固定してから、両中央部で製品の形状をプレス成形する製造方法としたことにより、薄く伸縮性に乏しい繊維強化樹脂シートを用いても、複雑な機構や工程を要することなく一連のプレス動作だけで、樹脂シートのズレやシワ・ラップの発生を回避しながら、高精度の成形品を短時間で得られやすいものとなるが、この場合に、輪郭内側部分をプレス成形している両中央部と繊維強化樹脂シートの外縁部を固定している両外周部との間で、一連のプレス動作に伴って互いにプレス方向の位置ズレを生じさせることにより、繊維強化樹脂シートにおける輪郭に沿って中央部押圧面の外縁と外周部押圧面の開口部分内縁とで剪断しながら繊維強化樹脂成形品の輪郭をトリミングするものとしたことにより、１つの金型装置における一連のプレス動作だけで、成形品輪郭位置でのトリミングまで完了することができる。
【００１２】
さらにまた、上述した製造方法において、両中央部には互いに連通可能な位置に各々挿通孔が形成されており、パンチ側の挿通孔に挿設され基端側をサブプレートで支持されたピアス用ピンがプレス動作でダイ側の挿通孔に挿入されるものとされ、一連のプレス動作の後半で、両中央部でプレス成形している繊維強化樹脂シートの所定位置を、前記ピアス用ピン先端面の外縁と中央部押圧面の前記挿通孔開口部分内縁とで剪断しながらピアシングを行う、ことを特徴とした製造方法とすれば、１つの金型装置における一連のプレス動作だけで、成形体のピアシングまで完了することができる。
【００１３】
加えて、ダイとパンチの間に配置した繊維強化樹脂シートをプレスして成形体の形状を与えるプレス成形手段と、成形している繊維強化樹脂シートの裏面にパンチ側から熱可塑性樹脂を射出して所定の裏打構造を設ける裏打構造形成手段を備えた繊維強化樹脂成形品を製造するための金型装置において、そのダイとパンチは、繊維強化樹脂成形品の輪郭内側部分を成形するための中央部とその輪郭外側部分になる繊維強化樹脂シートの外縁部を固定するための外周部とが各々別部品からなり、そのダイの中央部は可動側のメインプレートからプレス方向に延設されたバーの先端に設けられ、そのダイの外周部は前記メインプレートの内側に配設されたサブプレートを介してダイの中央部に対し反プレス方向に摺動可能に支持されており、その記パンチの外周部は固定側のメインプレートから反プレス方向に延設されたバーに設けられ、そのパンチの中央部は前記メインプレートの内側に配設されたサブプレートを介して前記パンチの外周部に対しプレス方向に段階的に摺動可能とされており、可動側のメインプレートを動作させることで組み合わされた中央部と外周部がプレス方向の位置ズレを複数段階で各々形成可能とされており、ダイをプレス方向に移動させる一連のプレス動作により、両外周部で外縁部を挟み込んで固定している位置と、両外周部で外縁部を固定したまま両中央部同士が接近して輪郭内側部分をプレス成形している位置と、輪郭内側部分をプレス成形している両中央部と外縁部を固定している両外周部との間の位置ズレにより繊維強化樹脂シートにおける輪郭に沿って中央部押圧面の外縁と外周部押圧面の開口部分内縁とで剪断した位置とを、各々実現するものとされており、一連のプレス動作に連動してプレス成形と輪郭のトリミングを行う、ことを特徴としたものとすれば、１つの金型装置を用いながら上述した繊維強化樹脂成形品の製造方法を一連のプレス動作だけで実現できることに加え、成形体のトリミングまで自動的に完了可能なものとなる。
【００１６】
そして、上述した金型装置において、その両中央部には互いに連通可能な位置に各々挿通孔が形成されており、パンチ側の挿通孔に挿設したピアス用ピンが、プレス動作でダイ側の挿通孔に挿入されるものとされ、両中央部でプレス成形している状態の繊維強化樹脂シートの所定位置をピアス用ピン先端面の外縁とダイ側の中央部押圧面の挿通孔開口部分内縁とで剪断するものとして、一連のプレス動作に連動してピアシングを行うものとされている、ことを特徴したものとすれば、この金型装置による一連のプレス動作だけで製品のピアシングまで自動的に完了可能なものとなる。
【発明の効果】
【００１７】
ダイとパンチにおける中央部と外周部を別体にして互いに摺動しながらプレス方向の位置ズレを形成可能なものとし、一連のプレス動作に連動しながら両外周部で繊維強化樹脂シートの外縁部を固定してから両中央部で製品の形状をプレス成形する方式とした本発明によると、過剰な手間と時間を要することなく高精度の成形品を得られるものである。
【図面の簡単な説明】
【００１８】
【図１】本発明における実施の形態である繊維強化樹脂成形品の製造方法を実施するための金型装置に繊維強化樹脂シートを装着した状態を示す縦断面図。
【図２】図１の状態から繊維強化樹脂シート外縁部を固定した状態を示す縦断面図。
【図３】図２の状態から繊維強化樹脂成形品の形状をプレス成形した状態を示す縦断面図。
【図４】図３の状態から繊維強化樹脂成形品の輪郭をトリミングした状態を示す縦断面図。
【図５】図４の状態からピアシングを行った状態を示す縦断面図。
【図６】図５の状態から成形体裏面に溶融樹脂を射出して成形している状態を示す縦断面図。
【図７】図６の状態から型を開いて繊維強化樹脂成形品の取り出しを可能にした状態を示す縦断面図。
【図８】図１の金型装置で製造した繊維強化樹脂成形品の一例を示す斜視図。
【発明を実施するための形態】
【００１９】
以下に、図面を参照しながら本発明を実施するための形態を説明する。
【００２０】
図１は、本実施の形態の繊維強化樹脂成形品の製造方法を実施するのに用いる金型装置１に、繊維強化樹脂シート１００を配置した状態を縦断面図で示している。この金型装置１は、図示しない駆動機構で可動側のメインプレート２を固定側のメインプレート３に向かって移動させながら、ダイ４とパンチ５の間に配置した繊維強化樹脂シート１００をプレスして所定の形状を賦与するプレス成形手段と、プレス成形している繊維強化樹脂シート１００の裏面にパンチ５側から熱可塑性樹脂を射出して所定の裏打構造を設ける射出成形手段とを備えており、この装置だけでハイブリッド成形による繊維強化樹脂成形品の製造方法を実施できるようになっている。
【００２１】
即ち、可動側のメインプレート２からプレス方向に延設された複数本のバーのうち短いバー２００の組み合わせ及びその先端側に設けたダイ４と、固定側のメインプレート３及びサブプレート８，７から反プレス方向に延設された複数本のバーのうちバー３００の組み合わせとその先端側に設けたパンチ５とでプレス成形手段を構成しており、固定側のメインプレート３及びサブプレート８，７，６及びパンチ５に形成した溶融樹脂通路３１，８１，８２，７１，７２，７３，６１，６２，６３，５２，５３，５４と、パンチ５の中央部５０に設けた裏打構造形成部５０ａとで、裏打構造形成手段を構成している。
【００２２】
尚、本実施の形態である繊維強化樹脂成形品の製造方法は、繊維強化樹脂シートの成形体内側面に射出成形でリブ・ボス等の裏打構造を形成する方式であるため、可動側をダイ４、固定側をパンチ５としており、通常の金型装置とは逆の配置になっている。また、繊維強化樹脂シート１００及び射出成形用の樹脂には熱可塑性樹脂を使用する方式であるため、金型装置１における各プレートとダイ４及びパンチ５の所定位置には図示しない樹脂加熱手段が配設されている。
【００２３】
また、各プレートを連結しているバーには、テレスコープ式に伸縮するものと単一構造のものとが使用されており、さらに、詳細な図示は省略するが、プレス動作における各段階で所定のプレート同士又は所定の金型部品同士を順次開状態または閉状態にする目的で、複数種類の反発強度を有した弾性部材又は支持部材が適宜位置に配置されたものとなっている。
【００２４】
そして、斯かる金型装置１において、そのダイ４とパンチ５は、繊維強化樹脂成形品の輪郭内側部分を形成するための中央部４０，５０と、前記輪郭の外側部分になる繊維強化樹脂シート１００の外縁部１１０を固定するための外周部４１，５１とが各々別部品からなり、外周部４１，５１の中央をプレス方向に貫通して設けた摺動孔４１ａ，５１ａ内に、中央部４０，５０が各々挿入されて組み合わされてなるものであり、中央部４０と外周部４１の組み合わせ及び中央部５０と外周部５１の組み合わせにおいて、その構成部品が互いに摺動することでプレス方向に沿った向きの位置ズレを所定範囲内で各々形成可能とされている。
【００２５】
また、ダイ４の外周部４１押圧面の所定位置には、複数の位置決めピン４５ａ，４５ｂ，・・がプレス方向に突設されており、図１に示したように金型装置１が開いた状態で、繊維強化樹脂シート１００の外縁部１１０の対応位置に予め形成した位置決め孔１１０ａ，１１０ｂ，・・を、ピン４５ａ，４５ｂ，・・に挿通しながら配置することにより、繊維強化樹脂シート１００はダイ４に対し正確且つ容易に位置決めされる。
【００２６】
その後、プレス動作を開始することで、図２に示したようにパンチ５の外周部５１押圧面に設けた挿入穴５１ｂ，５１ｃ・・に位置決めピン４５ａ，４５ｂ，・・の先端側を各々挿入しながら、両外周部４１，５１の押圧面で外縁部１１０を挟み込んで押圧するようになっており、繊維強化樹脂シート１００がダイ４とパンチ５に対し正確な位置にてしっかりと固定されてから、図３に示すように両中央部４０，５０で繊維強化樹脂成形品の輪郭内側部分をプレス成形する方式を採用しており、この点が本発明における特徴部分となっている。
【００２７】
さらに、この金型装置１は、繊維強化樹脂シート１００における繊維強化樹脂成形品の輪郭内側部分をプレス成形している両中央部４０，５０と、前記輪郭外側部分になる外縁部１１０を固定している両外周部４１，５１とが、一連のプレス動作に伴ってプレス方向沿う向きで互いに位置ズレを生じるようになっており、図４に示すように繊維強化樹脂シート１００における繊維強化樹脂成形品の輪郭になる位置に沿って、中央部４０押圧面の外縁と外周部５１押圧面の開口部分内縁とで剪断しながら、前記輪郭位置で外周部１１０を切断することにより自動的にトリミングを行うようになっている。
【００２８】
さらにまた、図５に示すように、両中央部４０，５０における互いに連通可能な位置には、挿通孔４０ｇ，４０ｈ，５０ｂ，５０ｃが各々形成されており、プレス動作に伴ってサブプレート７から反プレス方向に突出したバー７８，７９により、パンチ５側の挿通孔５０ｂ，５０ｃ内に挿設したピアス用ピン（入れ子）５８，５９が反プレス方向に押されて、その先端側がダイ４側の挿通孔４０ｇ，４０ｈに挿入される構成となっている。
【００２９】
そのため、一連のプレス動作の後半において、両中央部４０，５０でプレス成形している繊維強化樹脂シート１００の所定位置（図ではボスの中央位置）を、ピアス用ピン５８，５９の先端面外縁と、中央部４０押圧面の挿通孔４０ｇ，４０ｈ開口部分内縁とで剪断しながら、自動的にピアシング（孔開け）を行うようになっており、このピアシングが完了した段階で繊維強化樹脂成形品がほぼ完成する。
【００３０】
以下に、本実施の形態である繊維強化樹脂成形品の製造方法について、再度図面を用いながらさらに詳細に説明する。
【００３１】
型開き後の金型装置１はダイ４とパンチ５が大きく開いており、ダイ４の外周部４１押圧面の所定位置からは、位置決めピン４５ａ，４５ｂ，・・の先端側が突出した状態となっている。そこで、図１に示すように、その位置決めピン４５ａ，４５ｂ，・・に対し、これらに対応した位置で予め外縁部１１０に設けた位置決め孔１１０ａ，１１０ｂ，・・を挿通しながら繊維強化樹脂シート１００をセットすることにより、繊維強化樹脂シート１００がダイ４に正確且つ容易に位置決めされる。また、この型開き時にはパンチ５の中央部５０は外周部５１よりもプレス方向に位置ズレした状態となっている。
【００３２】
その後、可動側のメインプレート２を固定側のメインプレート３に向かって移動させるプレス動作を行って型閉めを行うことで、位置決めピン４５ａ，４５ｂ，・・の先端側をパンチ５の外周部５１押圧面に開口した位置決め孔５１ｂ，５１ｃ，・・に挿入しながら、ダイ４とパンチ５の外周部４１，５１各押圧面で中央部４０，５０よりも先に外縁部１１０を挟み込み、繊維強化樹脂シート１００をダイ４及びパンチ５にしっかりと固定した状態にする。
【００３３】
その状態から型閉めを継続すると、図３に示すようにパンチ５の中央部５０をそのままにして外周部５１がプレス方向に後退することにより、中央部５０が相対的に反プレス方向に突出するため、繊維強化樹脂シート１００は両中央部４０，５０の押圧面で挟み込まれて繊維強化樹脂成形品の外皮形状をプレス成形された成形品となる。
【００３４】
このように、両中央部４０，５０による成形体部分のプレス成形に先立って、繊維強化樹脂シート１００の外縁部１１０が位置決めピン４５ａ，４５ｂ，・・に挿通された状態にて両外周部４１，５１でしっかりと挟持された状態にすることにより、プレス成形に伴う繊維強化樹脂シート１００の位置ズレやシワ・ラップの発生を回避しやすいものとしている。
【００３５】
さらに型閉めを継続すると、図４に示すように、両外周部４１，５１が一体的に停止した状態のまま、両中央部４０，５０が一体的にプレス方向にズレ動き、サブプレート６に当接して停止する。この動作により、繊維強化樹脂シート１００は繊維強化樹脂成形品の輪郭線に沿って剪断され、余白部分である外縁部１１０が削除・分離されるため、繊維強化樹脂成形品における輪郭のトリミングが自動的に完了する。
【００３６】
その状態から型閉めを継続すると、サブプレート６がプレス方向に押されサブプレート７に当接して停止するが、図５に示すようにこの動作に伴って、サブプレート７から反プレス方向に突設したバー７８，７９の先端側が、パンチ５側の挿通孔５０ｂ，５０ｃ内に挿入されて内部に挿設したピアス用ピン５８，５９を反プレス方向に押圧し、これらの先端側をダイ４の挿通孔４０ｇ，４０ｈ内に押し込む動作を行う。
【００３７】
この動作により、繊維強化樹脂シート１００における挿通孔５０ｂ，５０ｃの位置に一致する部分が、ピアス用ピン５８，５９の先端面で挿通孔４０ｇ，４０ｈ側に押し込まれながら前記先端面の形状に剪断されてピアシングが完了する。尚、挿通孔４０ｇ，４０ｈは、ダイ４の中央部４０の所定位置でプレス方向に貫通して形成されており、ピアシングによる切除カスがある程度溜まると、反対側の開口部から排出されるようになっている。
【００３８】
そして、さらに型閉めを行うことにより、図６に示すようにサブプレート７がサブプレート８に密着して、溶融樹脂通路３１，８１，８２，７１，７２，７３，６１，６２，６３，５２，５３，５４が連通する。この型閉め状態になったら、図示しない溶融樹脂供給手段を溶融樹脂通路３１開口部に接続して溶融樹脂を射出する。これにより、パンチ５に設けた裏打構造形成部５０ａ内に溶融樹脂が充填され、プレス成形している繊維強化樹脂シート１００の裏面側に裏打構造が形成される。
【００３９】
尚、この場合、パンチ５の中央部５０に形成した挿通孔５０ｂ，５０ｃの内周面と、これに挿設されているピアス用ピン５８，５９の外周面との間には、繊維強化樹脂シート１００の剪断位置から所定位置まで隙間が形成されており、この隙間部分に溶融樹脂が充填されることで円筒状のボスが形成される。
【００４０】
溶融樹脂の射出成形が完了したら、図７のような型開き状態にして繊維強化樹脂成形品１２０を取り出す。この場合、図示は省略するが、繊維強化樹脂成形品１２０を離型させるためのエジェクタピンを反プレス方向に備えたエジェクタプレートを用い、エジェクタピンを反プレス方向に突出させる方式としても良い。
【００４１】
取り出された繊維強化樹脂成形品１２０は、例えば図８のような構成を備えたものとなり、取り出した時点で繊維強化樹脂シートによる外皮構造の裏面側に、裏打構造としてのリブ１２１及びボス１２２，１２３が形成されているとともに、輪郭のトリミングとボス１２２，１２３の中央位置におけるピアシングが完了しており、製品として殆ど完成した状態となっている。
【００４２】
尚、製品の取り出し時には、繊維強化樹脂シート１００における繊維強化樹脂成形品の余白部分になる切断された周縁部１１０とランナー１３０も露出した状態となっており、これら総て取り出すことにより繊維強化樹脂成形品の製造作業の１サイクルが完了する。
【００４３】
以上、述べたように、繊維強化樹脂シートの成形体に熱可塑性樹脂による裏打構造を設けるハイブリッド成形方法において、本発明により、一連の型閉め作業によるプレス動作のみで容易に繊維強化樹脂成形品を製造することができ、過剰な手間と時間を要することなく、高精度の成形品を低コストで得られるようになった。
【符号の説明】
【００４４】
１  金型装置、２，３  メインプレート、４  ダイ、５  パンチ、６，７，８，９  サブプレート、４０，５０  中央部、４０ｇ，４０ｈ，５０ｂ，５０ｃ  挿通孔、４１，５１  外周部、４１ａ，５１ａ  摺動孔、４５ａ，４５ｂ  位置決めピン、５０ａ  裏打構造形成部、５８，５９  ピアス用ピン、７８，７９，２００，３００，３５０  バー、１００  繊維強化樹脂シート、１１０  外縁部、１１０ａ，１１０ｂ  位置決め孔、１２０  繊維強化樹脂成形品、１２１  リブ、１２２，１２３  ボス
【図１】
0006480125.tif 000002
【図２】
0006480125.tif 000003
【図３】
0006480125.tif 000004
【図４】
0006480125.tif 000005
【図５】
0006480125.tif 000006
【図６】
0006480125.tif 000007
【図７】
0006480125.tif 000008
【図８】
0006480125.tif 000009